(57)【要約】【課題】  複数の装飾体を見栄え良く取り付けることができる装飾具を提供する。【解決手段】  複数の糸１２を相互に螺旋状に交差させながら巻き付けて構成した組紐体８と、組紐体８に取り付けられたリング状の取付具１０と、取付具１０に取り付けられた装飾用の装飾体６ａ〜６ｄと、を備えた装飾具２である。取付具１０は、その内側に複数の糸１２の一部が挿通されることにより組紐体８に取り付けられる。これにより、装飾具２全体が嵩張るのを抑えることができ、複数の装飾体６ａ〜６ｄを見栄え良く取り付けることができる。【選択図】  図１
0003150128.tif 000002
【実用新案登録請求の範囲】
【請求項１】
複数の糸を相互に螺旋状に交差させながら巻き付けて構成した組紐体と、前記組紐体に取り付けられたリング状の取付具と、前記取付具に取り付けられた装飾用の装飾体と、を備え、前記取付具は、その内側に前記複数の糸の一部が挿通されることにより前記組紐体に取り付けられることを特徴とする装飾具。
【請求項２】
前記取付具は、前記組紐体に着脱自在に取り付けられることを特徴とする請求項１に記載の装飾具。
【請求項３】
複数の糸を相互に螺旋状に交差させながら巻き付けて構成した組紐体と、前記組紐体に取り付けられ、装飾用の装飾体を取り付けるためのリング状の取付具と、を備え、前記取付具は、その内側に前記複数の糸の一部が挿通されることにより前記組紐体に取り付けられることを特徴とする装飾具用紐。
【考案の詳細な説明】
【技術分野】
【０００１】
本考案は、例えば携帯電話機や財布、鞄などに取り付けて装飾するための装飾具及びこれに用いられる装飾具用紐に関する。
【背景技術】
【０００２】
例えば携帯電話機や財布、鞄などに装飾具を取り付けて装飾することが広く一般に行われている（例えば、特許文献１参照）。この装飾具は、吊下紐体と、吊下紐体の一端部に設けられた取付用紐と、吊下紐体の他端部に取り付けられた装飾用の装飾体と、を備えている。装飾体は、例えばマスコットや装飾を施したガラス玉、鈴などから構成される。取付用紐を例えば携帯電話機などに設けられたフック部に括り付けることにより、装飾体が吊下紐体によってフック部から吊り下げられる。
【先行技術文献】
【特許文献】
【０００３】
【特許文献１】実用新案登録第３０６４９２７号公報
【考案の概要】
【考案が解決しようとする課題】
【０００４】
例えば使用者のお気に入りの装飾具が複数ある場合などには、これら複数（例えば３〜６個）の装飾具を携帯電話機などに一度に取り付けることがある。しかしながら、このように取り付けると、複数の装飾具全体が嵩張ってしまい、見栄えが損なわれるという問題がある。
【０００５】
本考案の目的は、複数の装飾体を見栄え良く取り付けることができる装飾具及び装飾具用紐を提供することである。
【課題を解決するための手段】
【０００６】
本考案の請求項１に記載の装飾具では、複数の糸を相互に螺旋状に交差させながら巻き付けて構成した組紐体と、前記組紐体に取り付けられたリング状の取付具と、前記取付具に取り付けられた装飾用の装飾体と、を備え、前記取付具は、その内側に前記複数の糸の一部が挿通されることにより前記組紐体に取り付けられることを特徴とする。
【０００７】
また、本考案の請求項２に記載の装飾具では、前記取付具は、前記組紐体に着脱自在に取り付けられることを特徴とする。
【０００８】
また、本考案の請求項３に記載の装飾具用紐では、複数の糸を相互に螺旋状に交差させながら巻き付けて構成した組紐体と、前記組紐体に取り付けられ、装飾用の装飾体を取り付けるためのリング状の取付具と、を備え、前記取付具は、その内側に前記複数の糸の一部が挿通されることにより前記組紐体に取り付けられることを特徴とする。
【考案の効果】
【０００９】
本考案の請求項１に記載の装飾具によれば、装飾用の装飾体を取り付けるための取付具は、その内側に複数の糸の一部が挿通されることにより組紐体に取り付けられるので、装飾具全体が嵩張るのを抑えることができ、複数の装飾体を見栄え良く取り付けることができる。
【００１０】
また、本考案の請求項２に記載の装飾具によれば、取付具は組紐体に着脱自在に取り付けられるので、複数種類の装飾体を別に用意しておくことにより、装飾体を気分に合わせて取り替えて楽しむことができる。
【００１１】
また、本考案の請求項３に記載の装飾具用紐によれば、装飾用の装飾体を取り付けるための取付具は、その内側に複数の糸の一部が挿通されることにより組紐体に取り付けられるので、装飾具全体が嵩張るのを抑えることができ、複数の装飾体を見栄え良く取り付けることができる。
【図面の簡単な説明】
【００１２】
【図１】本考案の一実施形態による装飾具を示す図である。
【図２】図１の取付具を示す部分拡大図である。
【図３】本考案の他の実施形態による装飾具を示す図である。
【図４】図３の取付具を示す部分拡大図である。
【考案を実施するための形態】
【００１３】
以下、添付図面を参照して、本考案に従う装飾具及び装飾具用紐の一実施形態について説明する。図１は、本考案の一実施形態による装飾具を示す図であり、図２は、図１の取付具を示す部分拡大図である。
【００１４】
図１を参照して、本実施形態の装飾具２は、装飾具用紐４と、この装飾具用紐４に取り付けられる装飾用の複数の装飾体６ａ〜６ｄと、を備えている。以下、装飾具２の構成について詳細に説明する。
【００１５】
装飾具用紐４は、組紐体８と、この組紐体８に取り付けられた複数の取付具１０と、を備えている。組紐体８は、複数の糸１２を相互に螺旋状に交差させながら巻き付けることにより構成されている。組紐体８の一端部にはリング状の取付用紐１４が設けられ、その他端部には、開口部１６を有する取付用金具１８が設けられている。
【００１６】
取付具１０はリング状の金具から構成され、その所定部位には、径方向に延びる切込み部２０が設けられている（図２参照）。取付具１０の内側には、組紐体８の複数の糸１２の一部が挿通され、これにより取付具１０が組紐体８に取り付けられる。なお、このように取付具１０を取り付ける際には、切込み部２０の間隔を工具などを用いて拡げて、この切込み部２０を通して複数の糸１２の一部を取付具１０の内側に挿通させた後に、切込み部２０の間隔を工具などを用いて再び狭めればよい。
【００１７】
装飾体６ａ〜６ｄは、本実施形態では、マスコット及び鈴から構成されている。この装飾体６ａ〜６ｄにはそれぞれフック部２２ａ〜２２ｄが設けられ、このフック部２２ａ〜２２ｄにはそれぞれ取付具１０が挿通され取り付けられている。上述のように取付具１０が組紐体８に取り付けられることにより、複数の装飾体６ａ〜６ｃが組紐体８の両端部間に取り付けられる。また、装飾体６ｄは、取付用金具１８の開口部１６に取り付けられた取付具１０を介して、組紐体８の他端部に取り付けられている。
【００１８】
上述した装飾具２は、取付用紐１４を例えば携帯電話機など（図示せず）に設けられたフック部に括り付けることにより、この携帯電話機などに取り付けられる。本実施形態では、組紐体８の他端部に１個の装飾体６ｄが取付具１０を介して取り付けられるとともに、その両端部間に３個の装飾体６ａ〜６ｃが取付具１０を介して取り付けられるので、装飾具２全体が嵩張るのを抑えることができ、複数の装飾体６ａ〜６ｄを見栄え良く取り付けることができる。
【００１９】
なお、本実施形態では、装飾体６ａ〜６ｄは取付具１０に直接的に取り付けられるように構成したが、例えば装飾用チェーンや装飾用バンド（図示せず）などを介して取付具１０に取り付けられるように構成してもよい。
【００２０】
次に、図３及び図４を参照して、他の実施形態の装飾具及び装飾具用紐について説明する。図３は、本考案の他の実施形態による装飾具を示す図であり、図４は、図３の取付具を示す部分拡大図である。なお、本実施形態において、上記実施形態と実質上同一の構成要素には同一の符号を付し、その説明を省略する。
【００２１】
本実施形態の装飾具２Ａでは、組紐体８Ａの他端部にはリング状の取付用紐２４が設けられ、この取付用紐２４は装飾体６ｄのフック部２２ｄに括り付けられている。また、取付具１０Ａは、鉤状の取付具本体部２６と、取付具本体部２６の基端部に揺動自在に支持された略Ｖ字状の揺動部２８とから構成されている（図４参照）。揺動部２８の一端部は取付具本体部２６の先端部に近接して延びており、これにより取付具１０Ａは全体としてリング状に構成されている。揺動部２８の他端部には爪部３０が設けられており、この爪部３０は取付具本体部２６の基端部に設けられた開口（図示せず）を通して外部に突出されている。揺動部２８の支軸（図示せず）には、揺動部２８を弾性的に偏倚するためのバネ部材（図示せず）が配設されている。また、取付具本体部２６の基端部には、リング部材３２を介して装飾体６ａ〜６ｃが取り付けられている。
【００２２】
爪部３０をバネ部材の弾性偏倚力に抗して手の指などで押し下げると、揺動部２８が支軸を中心として図４中の矢印Ｐで示す方向に揺動され、揺動部２８の一端部が取付具本体部２６の先端部から離隔される。従って、図４中に一点鎖線で示すように、揺動部２８の一端部と取付具本体部２６の先端部との間の隙間より組紐体８Ａの複数の糸１２の一部を容易に通すことができる。また、爪部３０から手の指などを離すと、バネ部材の弾性偏倚力によって揺動部２８が支軸を中心として図４中の矢印Ｑで示す方向に揺動され、揺動部２８の一端部が取付具本体部２６の先端部に近接して配置される。
【００２３】
従って、本実施形態の装飾具２Ａでは、取付具１０Ａを組紐体８Ａに対して容易に着脱することができるので、取付具１０Ａが取り付けられた装飾体を複数種類別に用意しておくことによって、装飾体６ａ〜６ｃを気分に合わせて取り替えて楽しむことができる。
【００２４】
以上、本考案に従う装飾具及び装飾具用紐の種々の実施形態について説明したが、本考案はかかる実施形態に限定されるものではなく、本考案の範囲を逸脱することなく種々の変形乃至修正が可能である。
【００２５】
例えば、上記各実施形態では、装飾具２（２Ａ）を携帯電話機に取り付けるようにしたが、財布や鞄、ペンケースなどの種々の被装飾物に取り付けることができる。また、取付用紐１４に吸盤（図示せず）を取り付け、この吸盤を例えば自動車のフロントガラスなどに着脱自在に吸着させることによって、装飾具２（２Ａ）を自動車のインテリアに用いることもできる。
【００２６】
また例えば、上記各実施形態では、組紐体８（８Ａ）の両端部間に３個の装飾体６ａ〜６ｃが取り付けられるように構成したが、１個、２個、あるいは４個以上の装飾体を取り付けるように構成してもよく、その数は適宜設定することができる。
【符号の説明】
【００２７】
２，２Ａ  装飾具
４，４Ａ  装飾具用紐
６ａ〜６ｄ  装飾体
８，８Ａ  組紐体
１０，１０Ａ  取付具
１２  糸
【図１】
0003150128.tif 000003
【図２】
0003150128.tif 000004
【図３】
0003150128.tif 000005
【図４】
0003150128.tif 000006